(57)【要約】【課題】光信号の経路設定の際のＲＯＡＤＭ２０の劣化や破損を防止することができる光通信システム１０を提供する。【解決手段】光信号の信号経路の上流から順にＲＯＡＤＭ２０のＩＤを格納した設定情報を受信した場合に、各ＲＯＡＤＭ２０は、自装置のＩＤが設定情報内で最上流の装置のＩＤになっていれば、自装置の経路設定を行い、自装置のＩＤを削除した設定情報を、実際に光信号を伝送する経路を介して他のＲＯＡＤＭ２０へ送信する。【選択図】図１
2012147124.tif 000002
【特許請求の範囲】
【請求項１】
光回線を介して他の波長多重光クロスコネクト装置と接続され、管理ネットワークを介してオペレーション装置から受信した情報に従って光信号の経路を設定する波長多重光クロスコネクト装置であって、
指定された波長の光信号を所定のレベルまで増幅して他の波長多重光クロスコネクト装置へ出力する増幅部と、
ユーザ網から入力される信号を指定された波長の光信号に変換して前記増幅部へ送ると共に、光回線を介して他の波長多重光クロスコネクト装置から受信した光信号の中で、指定された波長の光を所定の信号に変換して前記ユーザ網へ送信する変換部と、
設定対象となる光信号の波長と共に、当該光信号の信号経路の上流から順に当該光信号が通過する波長多重光クロスコネクト装置の装置ＩＤを含む設定情報を前記管理ネットワークを介して前記オペレーション装置から受信した場合に、当該設定情報に含まれている最上流の波長多重光クロスコネクト装置の装置ＩＤが自装置の装置ＩＤであれば、当該設定情報に含まれている波長の光信号を前記変換部に発生させ、当該変換部が発生した波長の光信号を前記増幅部に増幅させ、自装置の装置ＩＤを削除した設定情報を、前記光回線を介して他の波長多重光クロスコネクト装置へ送信する加算制御部と、
前記光回線を介して他の波長多重光クロスコネクト装置から前記設定情報を受信した場合に、当該設定情報内に２つ以上の装置ＩＤが含まれており、かつ、当該設定情報内の装置ＩＤの中で、信号経路における最上流の波長多重光クロスコネクト装置の装置ＩＤが自装置の装置ＩＤであれば、当該設定情報に含まれている波長の光信号を前記増幅部に増幅させ、自装置の装置ＩＤを削除した設定情報を、前記光回線を介して他の波長多重光クロスコネクト装置へ送信する中継制御部と、
前記光回線を介して他の波長多重光クロスコネクト装置から前記設定情報を受信した場合に、当該設定情報内に装置ＩＤが１つだけ含まれており、かつ、当該装置ＩＤが自装置の装置ＩＤであれば、当該設定情報に含まれている波長の光信号をユーザ網に出力させるよう前記変換部に指示する出力制御部と
を備えることを特徴とする波長多重光クロスコネクト装置。
【請求項２】
請求項１に記載の波長多重光クロスコネクト装置であって、
前記加算制御部、前記中継制御部、および前記出力制御部は、
前記管理ネットワークまたは前記光回線を介して前記設定情報を受信した場合に、当該設定情報内の装置ＩＤの中で、信号経路における最上流の波長多重光クロスコネクト装置の装置ＩＤが自装置の装置ＩＤでなければ、前記管理ネットワークを介してエラーを前記オペレーション装置に通知することを特徴とする波長多重光クロスコネクト装置。
【請求項３】
請求項１または２に記載の波長多重光クロスコネクト装置であって、
前記加算制御部は、
受信した設定情報に含まれている波長の光信号を前記変換部に発生させ、当該変換部が発生した波長の光信号を前記増幅部に増幅させた後に、設定が正常に完了した旨を示すメッセージを、前記管理ネットワークを介して前記オペレーション装置に通知し、
前記中継制御部は、
受信した設定情報に含まれている波長の光信号を前記増幅部に増幅させた後に、設定が正常に完了した旨を示すメッセージを、前記管理ネットワークを介して前記オペレーション装置に通知し、
前記出力制御部は、
指示に応じて、受信した設定情報に含まれている波長の光信号を、前記変換部がユーザ網に出力する設定が完了した場合に、設定が正常に完了した旨を示すメッセージを、前記管理ネットワークを介して前記オペレーション装置に通知することを特徴とする波長多重光クロスコネクト装置。
【請求項４】
請求項１から３のいずれか一項に記載の波長多重光クロスコネクト装置であって、
前記加算制御部は、
受信した設定情報に含まれている波長の光信号を前記変換部に発生させることができない場合、または、当該変換部が発生した波長の光信号を前記増幅部に増幅させることができない場合に、その旨を示すエラーメッセージを、前記管理ネットワークを介して前記オペレーション装置に通知し、
前記中継制御部は、
受信した設定情報に含まれている波長の光信号を前記増幅部に増幅させることができない場合に、その旨を示すエラーメッセージを、前記管理ネットワークを介して前記オペレーション装置に通知し、
前記出力制御部は、
受信した設定情報に含まれている波長の光信号を、前記変換部がユーザ網に出力することができない場合に、その旨を示すエラーメッセージを、前記管理ネットワークを介して前記オペレーション装置に通知することを特徴とする波長多重光クロスコネクト装置。
【請求項５】
請求項１から４のいずれか一項に記載の波長多重光クロスコネクト装置であって、
前記設定情報を保持する設定情報保持部をさらに備え、
前記加算制御部は、
前記管理ネットワークを介して前記設定情報を受信した場合に、受信した設定情報が前記設定情報保持部内の設定情報と一致するか否かを判定し、
受信した設定情報が前記設定情報保持部内の設定情報と一致しない場合に、当該設定情報に格納されている最上流の波長多重光クロスコネクト装置の装置ＩＤが自装置の装置ＩＤであれば、当該設定情報に含まれている波長の光信号を前記変換部に発生させ、当該変換部が発生した波長の光信号を前記増幅部に増幅させた後に、当該設定情報のコピーで前記設定情報保持部内の設定情報を更新し、自装置の装置ＩＤを削除した設定情報を、前記光回線を介して他の波長多重光クロスコネクト装置へ送信し、
受信した設定情報が前記設定情報保持部内の設定情報と一致する場合に、当該設定情報から自装置の装置ＩＤを削除し、自装置の装置ＩＤを削除した設定情報を、前記光回線を介して他の波長多重光クロスコネクト装置へ送信することを特徴とする波長多重光クロスコネクト装置。
【請求項６】
請求項５に記載の波長多重光クロスコネクト装置であって、
前記中継制御部は、
前記光回線を介して他の波長多重光クロスコネクト装置から前記設定情報を受信した場合に、受信した設定情報が前記設定情報保持部内の設定情報と一致するか否かを判定し、
受信した設定情報が前記設定情報保持部内の設定情報と一致しない場合に、当該設定情報内に２つ以上の装置ＩＤが格納されており、かつ、当該設定情報内の装置ＩＤの中で、信号経路における最上流の波長多重光クロスコネクト装置の装置ＩＤが自装置の装置ＩＤであれば、当該設定情報に含まれている波長の光信号を前記増幅部に増幅させた後に、当該設定情報のコピーで前記設定情報保持部内の設定情報を更新し、自装置の装置ＩＤを削除した設定情報を、前記光回線を介して他の波長多重光クロスコネクト装置へ送信し、
受信した設定情報が前記設定情報保持部内の設定情報と一致する場合に、当該設定情報から自装置の装置ＩＤを削除し、自装置の装置ＩＤを削除した設定情報を、前記光回線を介して他の波長多重光クロスコネクト装置へ送信することを特徴とする波長多重光クロスコネクト装置。
【請求項７】
複数の波長多重光クロスコネクト装置と、
光信号の信号経路の最上流に位置する波長多重光クロスコネクト装置に、前記管理ネットワークを介して前記設定情報を送信するオペレーション装置と
を備え、
前記複数の波長多重光クロスコネクト装置のそれぞれは、
請求項１から６のいずれか一項に記載の波長多重光クロスコネクト装置であることを特徴とする光通信システム。
【発明の詳細な説明】
【技術分野】
【０００１】
本発明は、光回線を介して他の波長多重光クロスコネクト装置と接続され、管理ネットワークを介してオペレーション装置から受信した情報に従って光信号の経路を設定する波長多重光クロスコネクト装置およびそれらを有する光通信システムに関する。
【背景技術】
【０００２】
データトラフィックの急増に対応するため、時分割多重技術および光波長多重技術を用いた大容量の光通信が実現されている。このような光通信において、光ファイバを用いて構成される光コア網には、ＲＯＡＤＭ（Reconfigurable Add-Drop Multiplexer）等の波長多重光クロスコネクト装置が用いられる。波長多重光クロスコネクト装置では、光スイッチを用いて光信号を波長単位でアド・ドロップ・スルーすることにより、光信号の経路を動的に設定することができる。
【０００３】
このような光ネットワークでは、各波長多重光クロスコネクト装置への経路設定は、外部のオペレーション装置からの指示に応じて行われる。オペレーション装置と各波長多重光クロスコネクト装置との通信については、例えば下記の非特許文献１に開示されている。
【先行技術文献】
【非特許文献】
【０００４】
【非特許文献１】RFC1157 A Simple Network Management Protocol Systems
【発明の概要】
【発明が解決しようとする課題】
【０００５】
ところで、各波長多重光クロスコネクト装置では、光ファイバの伝送損失による光信号のレベル低下を補償するために、前段の波長多重光クロスコネクト装置から受信した光信号を所定の信号レベルに増幅してから次段の波長多重光クロスコネクト装置へ送信する。そのため、光信号を受信していない状態で先に経路が設定されてしまうと、入力端のノイズレベルの信号を出力端で所定のレベルまで増幅するようにアンプが動作してしまい、高い増幅率となってしまう。その状態で、入力端に光信号が到達すると、出力端には過大なレベルの光信号が発生することになる。
【０００６】
波長多重光クロスコネクト装置は、過大な信号が出力された場合には、適切な信号レベルになるように増幅率を下げる制御を行うが、瞬間的には過大なレベルの光信号が下流の波長多重光クロスコネクト装置へ送信されてしまう。隣接する複数の波長多重光クロスコネクト装置において、入力信号がないまま高い増幅率が設定されていると、光信号が入力された場合には、過大なレベルの光信号がそれぞれの波長多重光クロスコネクト装置でさらに増幅されるため、過大なレベルの光信号が瞬間的なものであっても、下流の波長多重光クロスコネクト装置の劣化を早めたり、破損させる場合がある。
【０００７】
これを回避するために、信号経路における最上流に位置する波長多重光クロスコネクト装置に搬送波となる光信号を発生させ、当該最上流の波長多重光クロスコネクト装置から順に各波長多重光クロスコネクト装置に信号経路を設定するように、外部のオペレーション装置から各波長多重光クロスコネクト装置に命令を出すことが考えられる。
【０００８】
しかし、当該オペレーション装置を操作するオペレータが設定順序を誤る場合がある。また、各波長多重光クロスコネクト装置間の配線の接続ミスがある場合には、オペレータの設定順序が正しいとしても、下流の波長多重光クロスコネクト装置が先に設定されてしまう場合がある。そのような場合には、波長多重光クロスコネクト装置の劣化や破損を防止することができない。
【０００９】
本発明は上記事情を鑑みてなされたものであり、本発明の目的は、光信号の経路設定の際の波長多重光クロスコネクト装置の劣化や破損を防止することにある。
【課題を解決するための手段】
【００１０】
上記課題を解決するために、例えば特許請求の範囲に記載の構成を採用する。
本願は、上記課題を解決するための手段を複数含んでいるが、その一例を挙げるならば、光回線を介して他の波長多重光クロスコネクト装置と接続され、管理ネットワークを介してオペレーション装置から受信した情報に従って光信号の経路を設定する波長多重光クロスコネクト装置であって、
指定された波長の光信号を所定のレベルまで増幅して他の波長多重光クロスコネクト装置へ出力する増幅部と、
ユーザ網から入力される信号を指定された波長の光信号に変換して前記増幅部へ送ると共に、光回線を介して他の波長多重光クロスコネクト装置から受信した光信号の中で、指定された波長の光を所定の信号に変換して前記ユーザ網へ送信する変換部と、
設定対象となる光信号の波長と共に、当該光信号の信号経路の上流から順に当該光信号が通過する波長多重光クロスコネクト装置の装置ＩＤを含む設定情報を前記管理ネットワークを介して前記オペレーション装置から受信した場合に、当該設定情報に含まれている最上流の波長多重光クロスコネクト装置の装置ＩＤが自装置の装置ＩＤであれば、当該設定情報に含まれている波長の光信号を前記変換部に発生させ、当該変換部が発生した波長の光信号を前記増幅部に増幅させ、自装置の装置ＩＤを削除した設定情報を、前記光回線を介して他の波長多重光クロスコネクト装置へ送信する加算制御部と、
前記光回線を介して他の波長多重光クロスコネクト装置から前記設定情報を受信した場合に、当該設定情報内に２つ以上の装置ＩＤが含まれており、かつ、当該設定情報内の装置ＩＤの中で、信号経路における最上流の波長多重光クロスコネクト装置の装置ＩＤが自装置の装置ＩＤであれば、当該設定情報に含まれている波長の光信号を前記増幅部に増幅させ、自装置の装置ＩＤを削除した設定情報を、前記光回線を介して他の波長多重光クロスコネクト装置へ送信する中継制御部と、
前記光回線を介して他の波長多重光クロスコネクト装置から前記設定情報を受信した場合に、当該設定情報内に装置ＩＤが１つだけ含まれており、かつ、当該装置ＩＤが自装置の装置ＩＤであれば、当該設定情報に含まれている波長の光信号をユーザ網に出力させるよう前記変換部に指示する出力制御部と
を備えることを特徴とする。
【発明の効果】
【００１１】
本発明の波長多重光クロスコネクト装置によれば、光信号の経路設定の際の波長多重光クロスコネクト装置の劣化や破損を防止することができる。
上記した以外の課題、構成及び効果は、以下の実施形態の説明により明らかにされる。
【図面の簡単な説明】
【００１２】
【図１】本発明の一実施形態に係る光通信システム１０の構成の一例を示すシステム構成図である。
【図２】ＲＯＡＤＭ２０の詳細な機能構成の一例を示すブロック図である。
【図３】設定情報３０に格納されるデータの構造の一例を示す図である。
【図４】経路設定の過程を説明するための概念図である。
【図５】経路設定の過程を説明するための概念図である。
【図６】経路設定の過程を説明するための概念図である。
【図７】経路設定の過程を説明するための概念図である。
【図８】設定情報が下流のＲＯＡＤＭ２０に到達しない場合の経路設定の過程を説明するための概念図である。
【図９】設定情報が下流のＲＯＡＤＭ２０に到達しない場合の経路設定の過程を説明するための概念図である。
【図１０】設定情報内の装置ＩＤと自装置の装置ＩＤとが一致しない場合の動作を説明するための概念図である。
【図１１】設定情報に従った経路設定ができない場合のＲＯＡＤＭ２０の動作を説明するための概念図である。
【図１２】ＲＯＡＤＭ２０の動作の一例を示すフローチャートである。
【図１３】ＲＯＡＤＭ２０の動作の一例を示すフローチャートである。
【発明を実施するための形態】
【００１３】
以下、本発明の実施の形態について図面を参照しながら説明する。
【００１４】
図１は、本発明の一実施形態に係る光通信システム１０の構成の一例を示すシステム構成図である。光通信システム１０は、光ファイバ１３を介して接続された複数のＲＯＡＤＭ２０を備える。本実施形態において、それぞれのＲＯＡＤＭ２０は、図１に示すように、単方向の２本の光ファイバ１３で接続されてリング型のトポロジを形成している。それぞれのＲＯＡＤＭ２０は、オペレーション装置１１を介して管理ネットワーク１２に接続されている。
【００１５】
オペレーション装置１１は、波長を示す情報およびその波長の光信号の信号経路上におけるＲＯＡＤＭ２０のＩＤを含む設定情報をオペレータから入力された場合に、当該設定情報を、当該信号経路の最上流のＲＯＡＤＭ２０へ管理ネットワーク１２を介して送信することにより、当該信号経路を各ＲＯＡＤＭ２０に設定する。
【００１６】
それぞれのＲＯＡＤＭ２０は、管理ネットワーク１２を介してオペレーション装置１１から設定情報を受信した場合、当該設定情報に、自装置のＩＤが最上流の装置のＩＤとして格納されていれば、当該設定情報に示された波長の光信号を発生させる。そして、ＲＯＡＤＭ２０は、ユーザ網１４を介して受信する信号を、当該設定情報に示されている波長の光信号に変換して光ファイバ１３を介して隣接するＲＯＡＤＭ２０へ転送するためのアド設定を行う。
【００１７】
そして、ＲＯＡＤＭ２０は、設定情報に従って発生させた光信号を、光ファイバ１３を介して隣接するＲＯＡＤＭ２０へ送信する。そして、ＲＯＡＤＭ２０は、設定情報から自装置のＩＤを削除し、自装置のＩＤを削除した設定情報を、光ファイバ１３を介して隣接するＲＯＡＤＭ２０へ転送する。
【００１８】
また、ＲＯＡＤＭ２０は、光ファイバ１３を介して隣接する他のＲＯＡＤＭ２０から設定情報を受信した場合、当該設定情報内にＲＯＡＤＭ２０のＩＤが複数含まれていれば、当該設定情報に含まれているＲＯＡＤＭ２０のＩＤの中で、信号経路における最上流のＲＯＡＤＭ２０のＩＤを特定する。
【００１９】
そして、特定したＩＤが自装置のＩＤである場合、ＲＯＡＤＭ２０は、受信した設定情報に示されている波長の光信号を、光ファイバ１３を介して隣接する他のＲＯＡＤＭ２０へ中継するスルー設定を行うと共に、設定情報から自装置のＩＤを削除し、自装置のＩＤを削除した設定情報を、光ファイバ１３を介して隣接するＲＯＡＤＭ２０へ転送する。
【００２０】
一方、光ファイバ１３を介して隣接する他のＲＯＡＤＭ２０から受信した設定情報内に、ＲＯＡＤＭ２０のＩＤが１つしか含まれていない場合、当該ＩＤが自装置のＩＤであれば、ＲＯＡＤＭ２０は、受信した設定情報に示されている波長の光信号を、ユーザ網１４へ出力するドロップ設定を行う。これにより、オペレーション装置１１は、設定情報に基づいて、各ＲＯＡＤＭ２０に光信号の経路を設定することができる。
【００２１】
図２は、ＲＯＡＤＭ２０の詳細な機能構成の一例を示すブロック図である。ＲＯＡＤＭ２０は、出力制御部２１、中継制御部２２、加算制御部２３、設定情報保持部２４、スイッチ部２５、および変換部２６を備える。
【００２２】
なお、図２には、一方向の信号経路の光信号を処理するスイッチ部２５および変換部２６を示しているが、ＲＯＡＤＭ２０内には逆方向の信号経路についても同様にスイッチ部２５および変換部２６を有している。それぞれの方向の信号経路に対応するスイッチ部２５および変換部２６は同様の機能を有するため、以下では、説明の簡略化のために、一方向の信号経路におけるスイッチ部２５および変換部２６についてのみ説明する。
【００２３】
スイッチ部２５は、アンプ２５０、多重分離器２５１、ＯＳＣ監視部２５２、スイッチ２５３、スイッチ２５４、アンプ２５５、ＯＳＣ挿入部２５６、多重化器２５７、およびアンプ２５８を有する。スイッチ２５３、スイッチ２５４、およびアンプ２５５は、波長毎に設けられている。
【００２４】
アンプ２５０は、隣接するＲＯＡＤＭ２０から光ファイバ１３を介して受信した光信号を所定の信号レベルに増幅する。多重分離器２５１は、アンプ２５０によって増幅された光信号を、波長毎に分離する。ＯＳＣ監視部２５２は、予め定められた管理用の波長を用いたＯＳＣ（Optical Supervisor Channel）を監視し、当該ＯＳＣを用いて隣接するＲＯＡＤＭ２０から設定情報が送信された場合に、当該設定情報を出力制御部２１および中継制御部２２に送る。
【００２５】
設定情報３０には、例えば図３に示すように、Message Type３１、Event Type３２、Fail Reason３３、Wavelength ID３４、および順番情報３７が含まれる。
【００２６】
Message Type３１は、例えば設定情報３０で示されるメッセージの種別を示す１ビットの情報であり、「０」の場合はオペレーション装置１１からＲＯＡＤＭ２０へ送られるリクエストであることを示し、「１」の場合はＲＯＡＤＭ２０からオペレーション装置１１へ送信されるイベントであることを示す。
【００２７】
Event Type３２は、例えばイベントの種別を示す１ビットの情報であり、Message Type３１が「１」の場合に有効となる。例えば、Event Type３２が、「０」の場合は経路設定完了を示し、「１」の場合は経路設定失敗を示す。
【００２８】
Fail Reason３３は、例えば経路設定が失敗した理由を識別する３ビットの情報であり、Event Type３２が「１」の場合に有効となる。例えば、Fail Reason３３が、「１」の場合はスイッチエラーを示し、「２」の場合は受信アンプの不具合を示し、「３」の場合は送信アンプの不具合を示し、「４」の場合は管理情報の送信エラーを示し、「５」の場合はＩＤの不一致を示す。
【００２９】
Wavelength ID３４は、例えば、設定対象の光信号の波長を識別するＩＤを示す７ビットの情報である。順番情報３７には、例えば、設定対象の信号経路における最上流のＲＯＡＤＭ２０から順に割り当てられた順番を示すOrder３５毎に、当該順番に対応するＲＯＡＤＭ２０を識別する装置ＩＤを示すEquipment ID３６が含まれる。
【００３０】
本実施形態の順番情報３７において、Equipment ID３６に最も小さい値を示すOrder３５が対応付けられている場合、当該Equipment ID３６は、設定情報３０に含まれている装置ＩＤに対応するＲＯＡＤＭ２０の中で、設定対象の信号経路における最上流のＲＯＡＤＭ２０の装置ＩＤであることを示す。
【００３１】
図２に戻って説明を続ける。それぞれのスイッチ２５３は、出力制御部２１または中継制御部２２からの指示に従って、多重分離器２５１によって分離された光信号の中で、指定された波長の光信号を、スイッチ２５４または変換部２６へ出力する。
【００３２】
変換部２６は、加算制御部２３からの指示に応じて、ユーザ網１４から受け取った信号を、指定された波長の光信号に変換してスイッチ２５４へ出力するアド設定を行う。また、変換部２６は、出力制御部２１からの指示に応じて、スイッチ２５３から受け取った光信号を電気信号等に変換してユーザ網１４へ出力するドロップ設定を行う。また、変換部２６は、加算制御部２３からの指示に応じて、指定された波長の光信号を発生させ、発生させた光信号をスイッチ２５４へ出力する。
【００３３】
それぞれのスイッチ２５４は、中継制御部２２または加算制御部２３からの指示に従って、スイッチ２５３または変換部２６から受け取った光信号を、アンプ２５５へ出力する。それぞれのアンプ２５５は、中継制御部２２または加算制御部２３からの指示に従って、スイッチ２５４から受け取った光信号を所定のレベルに増幅する。そのため、入力される光信号の信号レベルが低い場合、アンプ２５５は、所定のレベルに増幅するために、高い増幅率で当該光信号を増幅する。
【００３４】
ＯＳＣ挿入部２５６は、中継制御部２２または加算制御部２３から受け取った設定情報を、ＯＳＣとして用いられる光信号に変換して多重化器２５７へ出力する。多重化器２５７は、ＯＳＣ挿入部２５６およびアンプ２５５から受け取った光信号を多重化する。アンプ２５８は、アンプ２５８によって多重化された光信号を所定のレベルに増幅して、光ファイバ１３を介して隣接するＲＯＡＤＭ２０へ出力する。
【００３５】
加算制御部２３は、図３に示した設定情報３０を、管理ネットワーク１２を介してオペレーション装置１１から受信した場合に、受信した設定情報が、設定情報保持部２４内に格納されている設定情報と同一か否かを判定する。
【００３６】
受信した設定情報と、設定情報保持部２４内に格納されている設定情報とが同一である場合、加算制御部２３は、自装置のEquipment ID３６および自装置のOrder３５を設定情報３０内の順番情報３７から削除してＯＳＣ挿入部２５６へ送ることにより、自装置のEquipment ID３６および自装置のOrder３５を削除した設定情報３０を、光ファイバ１３を介して隣接するＲＯＡＤＭ２０へ送る。
【００３７】
一方、受信した設定情報と、設定情報保持部２４内に格納されている設定情報とが異なる場合、加算制御部２３は、受信した設定情報３０内の順番情報３７を参照して、最も小さい値のOrder３５が対応付けられているEquipment ID３６、すなわち、信号経路における最上流のＲＯＡＤＭ２０の装置ＩＤが、自装置の装置ＩＤであるか否かを判定する。
【００３８】
信号経路における最上流のＲＯＡＤＭ２０の装置ＩＤが、自装置の装置ＩＤである場合、加算制御部２３は、当該設定情報に含まれているWavelength ID３４に対応する波長の光信号についてアド設定を行う。
【００３９】
具体的には、加算制御部２３は、当該設定情報に含まれているWavelength ID３４に対応する波長の光信号を発生させると共に、ユーザ網１４から受け取った信号を、当該波長の光信号に変換してスイッチ２５４へ出力するよう変換部２６に指示する。そして、加算制御部２３は、変換部２６から受け取った光信号をアンプ２５５へ出力するようスイッチ２５４へ指示し、スイッチ２５４から受け取った信号を所定レベルまで増幅するようアンプ２５５に指示する。
【００４０】
そして、加算制御部２３は、アド設定が正常に終了した場合に、オペレーション装置１１から受け取った設定情報３０を設定情報保持部２４内に格納する。設定情報保持部２４内に既に設定情報が格納されている場合、加算制御部２３は、設定情報保持部２４内の設定情報を、オペレーション装置１１から受け取った設定情報３０で更新する。
【００４１】
そして、加算制御部２３は、Message Type３１に「１」を設定し、Event Type３２に「０」を設定し、自装置の装置ＩＤを削除した順番情報３７を含む設定情報３０を、管理ネットワーク１２を介してオペレーション装置１１へ送ることにより正常終了をオペレーション装置１１に通知する。
【００４２】
そして、加算制御部２３は、自装置のEquipment ID３６および自装置のOrder３５を順番情報３７から削除した設定情報３０をＯＳＣ挿入部２５６へ送ることにより、自装置のEquipment ID３６および自装置のOrder３５が削除された設定情報３０を、光ファイバ１３を介して隣接するＲＯＡＤＭ２０へ送る。
【００４３】
中継制御部２２は、図３に示した設定情報３０を、光ファイバ１３を介して他のＲＯＡＤＭ２０から受信した旨をＯＳＣ監視部２５２から通知された場合に、当該設定情報３０の順番情報３７内に、Equipment ID３６が複数含まれているか否かを判定する。順番情報３７内にEquipment ID３６が複数含まれている場合、中継制御部２２は、当該設定情報３０が、設定情報保持部２４内に格納されている設定情報と同一か否かを判定する。
【００４４】
受信した設定情報と、設定情報保持部２４内に格納されている設定情報とが同一である場合、中継制御部２２は、自装置のEquipment ID３６および自装置のOrder３５を設定情報３０の順番情報３７から削除してＯＳＣ挿入部２５６へ送ることにより、自装置のEquipment ID３６および自装置のOrder３５を削除した設定情報３０を、光ファイバ１３を介して隣接するＲＯＡＤＭ２０へ送る。
【００４５】
一方、受信した設定情報と、設定情報保持部２４内に格納されている設定情報とが異なる場合、中継制御部２２は、受信した設定情報３０内の順番情報３７を参照して、最も小さい値のOrder３５が対応付けられているEquipment ID３６、すなわち、順番情報３７内のEquipment ID３６の中で、信号経路における最上流のＲＯＡＤＭ２０のEquipment ID３６を特定する。そして、中継制御部２２は、特定したEquipment ID３６が、自装置の装置ＩＤであるか否かを判定する。
【００４６】
信号経路における最上流のＲＯＡＤＭ２０の装置ＩＤが、自装置の装置ＩＤである場合、中継制御部２２は、当該設定情報に含まれているWavelength ID３４に対応する波長の光信号についてスルー設定を行う。具体的には、中継制御部２２は、当該設定情報に含まれているWavelength ID３４に対応する波長の光信号をスイッチ２５４へ送るようスイッチ２５３に指示し、スイッチ２５３から受け取った光信号をアンプ２５５へ出力するようスイッチ２５４に指示し、スイッチ２５４から受け取った信号を所定レベルまで増幅するようアンプ２５５に指示する。
【００４７】
そして、中継制御部２２は、スルー設定が正常に終了した場合に、他のＲＯＡＤＭ２０から受け取った設定情報３０を設定情報保持部２４内に格納する。設定情報保持部２４内に既に設定情報が格納されている場合、中継制御部２２は、設定情報保持部２４内の設定情報を、ＲＯＡＤＭ２０から受け取った設定情報３０で更新する。
【００４８】
そして、中継制御部２２は、Message Type３１に「１」を設定し、Event Type３２に「０」を設定し、自装置の装置ＩＤを削除した順番情報３７を含む設定情報３０を、管理ネットワーク１２を介してオペレーション装置１１へ送ることにより正常終了をオペレーション装置１１に通知する。
【００４９】
そして、中継制御部２２は、自装置のEquipment ID３６および自装置のOrder３５を順番情報３７から削除した設定情報３０をＯＳＣ挿入部２５６へ送ることにより、自装置のEquipment ID３６および自装置のOrder３５が削除された設定情報３０を、光ファイバ１３を介して隣接するＲＯＡＤＭ２０へ送る。
【００５０】
出力制御部２１は、図３に示した設定情報３０を、光ファイバ１３を介して他のＲＯＡＤＭ２０から受信した旨をＯＳＣ監視部２５２から通知された場合に、当該設定情報３０の順番情報３７に含まれているEquipment ID３６が１つか否かを判定する。順番情報３７に含まれているEquipment ID３６が１つである場合、出力制御部２１は、当該Equipment ID３６が自装置の装置ＩＤであるか否かを判定する。
【００５１】
順番情報３７に含まれているEquipment ID３６が自装置の装置ＩＤである場合、出力制御部２１は、当該設定情報に含まれているWavelength ID３４に対応する波長の光信号についてドロップ設定を行う。具体的には、出力制御部２１は、当該設定情報に含まれているWavelength ID３４に対応する波長の光信号を変換部２６へ送るようスイッチ２５３に指示し、スイッチ２５３から受け取った光信号を電気信号等に変換してユーザ網１４へ出力するよう変換部２６に指示する。
【００５２】
そして、出力制御部２１は、ドロップ設定が正常に終了した場合に、他のＲＯＡＤＭ２０から受け取った設定情報３０からEquipment ID３６およびOrder３５を削除し、Message Type３１に「１」を設定し、Event Type３２に「０」を設定した設定情報３０を、管理ネットワーク１２を介してオペレーション装置１１へ送る。オペレーション装置１１のオペレータは、Event Type３２に「０」が設定されており、かつ、順番情報３７が含まれていない設定情報を受信することにより、経路設定全体が正常に完了したことを認識することができる。
【００５３】
次に、オペレーション装置１１から送信された設定情報によって、各ＲＯＡＤＭ２０に経路が設定される過程を、図４〜７を用いて説明する。なお、図４〜７に示す例において、各ＲＯＡＤＭ２０を結ぶ実線の矢印は、対象となる波長の光信号が送信されている光ファイバ１３であることを示し、点線の矢印は、対象となる波長の光信号が送信されていない光ファイバ１３であることを示している。
【００５４】
また、図４に示す例では、ＲＯＡＤＭ２０ａ〜ｄの装置ＩＤを、それぞれ「Ａ」〜「Ｄ」とし、設定情報３０の順番情報３７−１には、信号経路における最上流に位置する（即ち１番目の）ＲＯＡＤＭ２０の装置ＩＤとして「Ａ」が、信号経路において次に光信号が伝達される（即ち２番目の）ＲＯＡＤＭ２０の装置ＩＤとして「Ｂ」が、信号経路において次に光信号が伝達される（即ち３番目の）ＲＯＡＤＭ２０の装置ＩＤとして「Ｃ」が、信号経路において最下流に位置する（即ち４番目の）ＲＯＡＤＭ２０の装置ＩＤとして「Ｄ」が、それぞれ指定されているものとする。
【００５５】
まず、オペレーション装置１１は、図４に示す順番情報３７−１を含む設定情報を、設定対象となる信号経路の最上流に位置するＲＯＡＤＭ２０ａへ管理ネットワーク１２を介して送信する。オペレーション装置１１から管理ネットワーク１２を介して受信した設定情報の順番情報３７−１内の１番目の装置ＩＤがＲＯＡＤＭ２０ａの装置ＩＤであるため、ＲＯＡＤＭ２０ａは、当該設定情報で指定されている波長の光信号を変換部２６ａに発生させると共にアド設定を行い、変換部２６ａが発生した光信号を所定のレベルに調整してＲＯＡＤＭ２０ｂへ出力する。
【００５６】
そして、ＲＯＡＤＭ２０ａは、自装置の装置ＩＤおよび順番を順番情報３７−１から削除した順番情報３７−２を、光ファイバ１３を介してＲＯＡＤＭ２０ｂへ送る。そして、ＲＯＡＤＭ２０ａは、Message Type３１に「１」を設定し、Event Type３２に「０」を設定し、順番情報３７−２を含む設定情報３０を、管理ネットワーク１２を介してオペレーション装置１１へ送ることにより正常終了をオペレーション装置１１に通知する。
【００５７】
オペレーション装置１１のオペレータは、当該設定情報３０を受信することにより、当該設定情報３０の送信元のＲＯＡＤＭ２０ａにおいて経路設定が正常に終了したことを認識することができる。なお、順番情報３７内に装置ＩＤが含まれているため、オペレーション装置１１のオペレータは、途中までの経路設定が正常に完了していることを認識することができる。
【００５８】
次に、ＲＯＡＤＭ２０ｂは、図５に示すように、ＲＯＡＤＭ２０ａから光ファイバ１３を介して受信した設定情報の順番情報３７−２内に複数の装置ＩＤが含まれており、かつ、最上流の順番（順番情報３７−２では「２」）に対応付けられている装置ＩＤが自装置の装置ＩＤであるため、当該設定情報で指定されている波長の光信号を中継するスルー設定を行い、ＲＯＡＤＭ２０ａから受信した光信号を、所定のレベルに調整してＲＯＡＤＭ２０ｃへ出力する。
【００５９】
そして、ＲＯＡＤＭ２０ｂは、自装置の装置ＩＤおよび順番を順番情報３７−２から削除した順番情報３７−３を、光ファイバ１３を介してＲＯＡＤＭ２０ｃへ送る。そして、ＲＯＡＤＭ２０ｂは、Message Type３１に「１」を設定し、Event Type３２に「０」を設定し、順番情報３７−３を含む設定情報３０を、管理ネットワーク１２を介してオペレーション装置１１へ送ることにより、正常終了をオペレーション装置１１に通知する。
【００６０】
同様に、ＲＯＡＤＭ２０ｃは、図６に示すように、ＲＯＡＤＭ２０ｂから光ファイバ１３を介して受信した設定情報の順番情報３７−３内に複数の装置ＩＤが含まれており、かつ、最上流の順番（順番情報３７−３では「３」）に対応付けられている装置ＩＤが自装置の装置ＩＤであるため、当該設定情報で指定されている波長の光信号を中継するスルー設定を行い、ＲＯＡＤＭ２０ｂから受信した光信号を、所定のレベルに調整してＲＯＡＤＭ２０ｄへ出力する。
【００６１】
そして、ＲＯＡＤＭ２０ｃは、自装置の装置ＩＤおよび順番を順番情報３７−３から削除した順番情報３７−４を、光ファイバ１３を介してＲＯＡＤＭ２０ｄへ送る。そして、ＲＯＡＤＭ２０ｃは、Message Type３１に「１」を設定し、Event Type３２に「０」を設定し、順番情報３７−４を含む設定情報３０を、管理ネットワーク１２を介してオペレーション装置１１へ送ることにより、正常終了をオペレーション装置１１に通知する。
【００６２】
次に、ＲＯＡＤＭ２０ｄは、図７に示すように、ＲＯＡＤＭ２０ｃから光ファイバ１３を介して受信した設定情報の順番情報３７−４に含まれている装置ＩＤが１つであり、かつ、当該装置ＩＤが自装置の装置ＩＤであるため、当該設定情報で指定されている波長の光信号についてドロップ設定を行う。
【００６３】
そして、ＲＯＡＤＭ２０ｄは、Message Type３１に「１」を設定し、Event Type３２に「０」を設定し、順番情報３７を含まない設定情報３０を、管理ネットワーク１２を介してオペレーション装置１１へ送ることにより、経路全体の設定の正常終了をオペレーション装置１１に通知する。
【００６４】
ここで、例えば、図８に示すように、オペレーション装置１１から送られた設定情報に基づいて経路設定が行われている間に、現場作業者が、一時的に光ファイバ１３ＲＯＡＤＭ２０ｃの光ファイバ１３を抜いていた場合、ＲＯＡＤＭ２０ｃは、ＲＯＡＤＭ２０ｂから送信された順番情報３７−３を含む設定情報３０を受信することができない。そのため、ＲＯＡＤＭ２０ｃ以降の信号経路では、ＲＯＡＤＭ２０ｃよりも先に経路設定が行われることはない。
【００６５】
また、この場合、オペレーション装置１１のオペレータは、ＲＯＡＤＭ２０ｂから正常終了の報告を受けてから所定時間（例えば１分）以上経過しても、ＲＯＡＤＭ２０ｃから正常終了または異常の通知が送信されない場合に、順番情報３７−１を含む設定情報３０をＲＯＡＤＭ２０ａへ再送することで経路設定を再度実行させることができる。
【００６６】
この場合、図９に示すように、ＲＯＡＤＭ２０ａでは、順番情報３７−１に基づいてアド設定が正常終了しているため、ＲＯＡＤＭ２０ａの設定情報保持部２４ａ内には順番情報３７−１を含む設定情報３０が登録されている。そのため、ＲＯＡＤＭ２０ａは、アド設定の動作を省略して、順番情報３７−２をＲＯＡＤＭ２０ｂへ送信する。ＲＯＡＤＭ２０ｂについても同様に、スルー設定を省略して順番情報３７−３をＲＯＡＤＭ２０ｃへ送信する。このように、同一の設定につては、設定を省略することにより、より効率的に経路設定の再試行を実現することができる。
【００６７】
また、ＲＯＡＤＭ２０の配線を行う業者等による光ファイバ１３の接続ミスにより、例えば、図１０に示すように、ＲＯＡＤＭ２０ｂとＲＯＡＤＭ２０ｃの接続順番が逆になっている場合、オペレーション装置１１のオペレータによる設定順番に誤りがなくても、設定順番通りに各ＲＯＡＤＭ２０の設定を行うとすれば、ＲＯＡＤＭ２０ｃよりも下流のＲＯＡＤＭ２０ｂが先に設定されてしまう。
【００６８】
信号が入力されていない状態で経路設定が実行されると、所定の出力レベルを得るために、ＲＯＡＤＭ２０ｂの出力段のアンプの増幅率が高く調整されてしまうことになる。そのため、ＲＯＡＤＭ２０ｃの設定が完了した段階で光信号がＲＯＡＤＭ２０ｂに入力されると、過大なレベルの光信号がＲＯＡＤＭ２０ｄへ出力されてしまい、ＲＯＡＤＭ２０の受光部が劣化したり破損する場合がある。
【００６９】
これに対し、本実施形態では、順番情報３７を含む設定情報３０は、実際に光信号が伝達される光ファイバ１３を通って送信されるため、ＲＯＡＤＭ２０ａから送信された順番情報３７−２は、ＲＯＡＤＭ２０ｃが受信することになる。ＲＯＡＤＭ２０ｃでは、順番情報３７−２内に複数の装置ＩＤが含まれているものの、最上流の順番（順番情報３７−２では「２」）に対応付けられている装置ＩＤが自装置の装置ＩＤではないため、経路設定は行わず、エラーを示す設定情報３０をオペレーション装置１１に通知する。
【００７０】
具体的には、ＲＯＡＤＭ２０ｃは、Message Type３１に「１」を設定し、Event Type３２に「１」を設定し、Fail Reason３３に「５」を設定した設定情報３０を、管理ネットワーク１２を介してオペレーション装置１１へ送る。この場合、設定情報３０内には、Wavelength ID３４や順番情報３７が含まれていてもよい。このように、本実施形態のＲＯＡＤＭ２０は、配線のミスによるＲＯＡＤＭ２０の破損等を防止することもできる。
【００７１】
また、図１１に示すように、ＲＯＡＤＭ２０内の不具合により、経路設定が正常に完了できない場合、ＲＯＡＤＭ２０は、その旨を示す設定情報３０をオペレーション装置１１に通知する。具体的には、ＲＯＡＤＭ２０は、Message Type３１に「１」を設定し、Event Type３２に「１」を設定し、Fail Reason３３にエラーの内容に応じて「１」〜「４」のいずれかを設定した設定情報３０を、管理ネットワーク１２を介してオペレーション装置１１へ送る。この場合、設定情報３０内には、Wavelength ID３４や順番情報３７が含まれていてもよい。
【００７２】
図１２は、ＲＯＡＤＭ２０の動作の一例を示すフローチャートである。まず、加算制御部２３は、オペレーション装置１１から設定情報を受信したか否かを判定する（Ｓ１００）。オペレーション装置１１から設定情報を受信した場合（Ｓ１００：Ｙｅｓ）、加算制御部２３は、受信した設定情報が、設定情報保持部２４内に格納されている設定情報と同一か否かを判定する（Ｓ１０１）。
【００７３】
受信した設定情報と設定情報保持部２４内に格納されている設定情報とが同一である場合（Ｓ１０１：Ｙｅｓ）、加算制御部２３は、自装置のEquipment ID３６および自装置のOrder３５を設定情報３０の順番情報３７から削除する（Ｓ１０７）。
【００７４】
そして、加算制御部２３は、ＯＳＣ挿入部２５６に指示して、自装置のEquipment ID３６および自装置のOrder３５を削除した設定情報３０を、ＯＳＣを用いて隣接するＲＯＡＤＭ２０へ送信させ（Ｓ１０８）、加算制御部２３は、再びステップＳ１００に示した処理を実行する。
【００７５】
受信した設定情報と設定情報保持部２４内に格納されている設定情報とが異なる場合（Ｓ１０１：Ｎｏ）、加算制御部２３は、受信した設定情報３０内の順番情報３７を参照して、最も小さい値のOrder３５が対応付けられているEquipment ID３６、すなわち、信号経路における最上流のＲＯＡＤＭ２０の装置ＩＤが、自装置の装置ＩＤであるか否かを判定する（Ｓ１０２）。
【００７６】
信号経路における最上流のＲＯＡＤＭ２０の装置ＩＤが、自装置の装置ＩＤではない場合（Ｓ１０２：Ｎｏ）、加算制御部２３は、Message Type３１に「１」を設定し、Event Type３２に「１」を設定し、Fail Reason３３に「５」を設定した設定情報３０を、管理ネットワーク１２を介してオペレーション装置１１へ送ることにより、ＩＤが一致しない旨のエラーをオペレーション装置１１に通知し（Ｓ１０９）、加算制御部２３は、再びステップＳ１００に示した処理を実行する。
【００７７】
信号経路における最上流のＲＯＡＤＭ２０の装置ＩＤが、自装置の装置ＩＤである場合（Ｓ１０２：Ｙｅｓ）、加算制御部２３は、当該設定情報に含まれているWavelength ID３４に対応する波長の光信号について、前述のアド設定を行う（Ｓ１０３）。そして、加算制御部２３は、アド設定が正常に終了したか否かを判定する（Ｓ１０４）。
【００７８】
変換部２６やスイッチ２５４、アンプ２５５等の不具合により、アド設定が正常に終了しなかった場合（Ｓ１０４：Ｎｏ）、加算制御部２３は、Message Type３１に「１」を設定し、Event Type３２に「１」を設定し、Fail Reason３３に例えば「３」を設定した設定情報３０を、管理ネットワーク１２を介してオペレーション装置１１へ送ることにより、異常を示すエラーをオペレーション装置１１に通知し（Ｓ１１０）、加算制御部２３は、再びステップＳ１００に示した処理を実行する。
【００７９】
一方、アド設定が正常に終了した場合（Ｓ１０４：Ｙｅｓ）、加算制御部２３は、オペレーション装置１１から受け取った設定情報で設定情報保持部２４内の設定情報を更新する（Ｓ１０５）。そして、加算制御部２３は、Message Type３１に「１」を設定し、Event Type３２に「０」を設定し、自装置の装置ＩＤを削除した順番情報３７を含む設定情報３０を、管理ネットワーク１２を介してオペレーション装置１１へ送ることにより正常終了をオペレーション装置１１に通知し（Ｓ１０６）、ステップＳ１０７に示した処理を実行する。
【００８０】
ステップＳ１００において、オペレーション装置１１から設定情報を受信していない場合（Ｓ１００：Ｎｏ）、中継制御部２２は、設定情報を、光ファイバ１３を介して他のＲＯＡＤＭ２０から受信したか否かを判定する（図１３のＳ１１１）。設定情報を他のＲＯＡＤＭ２０から受信していない場合（Ｓ１１１：Ｎｏ）、加算制御部２３は、再びステップＳ１００に示した処理を実行する。
【００８１】
設定情報を他のＲＯＡＤＭ２０から受信した場合（Ｓ１１１：Ｙｅｓ）、中継制御部２２は、受信した設定情報内の順番情報に複数の装置ＩＤが含まれているか否かを判定する（Ｓ１１２）。順番情報に複数の装置ＩＤが含まれている場合（Ｓ１１２：Ｙｅｓ）、中継制御部２２は、受信した設定情報が、設定情報保持部２４内に格納されている設定情報と同一か否かを判定する（Ｓ１１３）。
【００８２】
受信した設定情報が、設定情報保持部２４内に格納されている設定情報と同一である場合（Ｓ１１３：Ｙｅｓ）、中継制御部２２は、自装置のEquipment ID３６および自装置のOrder３５を設定情報３０の順番情報３７から削除する（Ｓ１１９）。そして、中継制御部２２は、ＯＳＣ挿入部２５６に指示して、自装置のEquipment ID３６および自装置のOrder３５を削除した設定情報３０を、ＯＳＣを用いて隣接するＲＯＡＤＭ２０へ送信させ（Ｓ１２０）、加算制御部２３は、再びステップＳ１００に示した処理を実行する。
【００８３】
一方、受信した設定情報が、設定情報保持部２４内に格納されている設定情報と異なる場合（Ｓ１１３：Ｎｏ）、中継制御部２２は、受信した設定情報３０内の順番情報３７を参照して、最も小さい値のOrder３５が対応付けられているEquipment ID３６が、自装置の装置ＩＤであるか否かを判定する（Ｓ１１４）。最も小さい値のOrder３５が対応付けられているEquipment ID３６が、自装置の装置ＩＤではない場合（Ｓ１１４：Ｎｏ）、中継制御部２２は、ステップＳ１０９（図１２参照）に示した処理を実行する。
【００８４】
一方、最も小さい値のOrder３５が対応付けられているEquipment ID３６が、自装置の装置ＩＤである場合（Ｓ１１４：Ｙｅｓ）、中継制御部２２は、当該設定情報に含まれているWavelength ID３４に対応する波長の光信号について前述のスルー設定を行う（Ｓ１１５）。そして、中継制御部２２は、スルー設定が正常に終了したか否かを判定する（Ｓ１１６）。アンプ２５０やスイッチ２５４、アンプ２５５等の不具合により、スルー設定が正常に終了しなかった場合（Ｓ１１６：Ｎｏ）、中継制御部２２は、ステップＳ１１０（図１２参照）に示した処理を実行する。
【００８５】
一方、スルー設定が正常に終了した場合（Ｓ１１６：Ｙｅｓ）、中継制御部２２は、他のＲＯＡＤＭ２０から受け取った設定情報で設定情報保持部２４内の設定情報を更新する（Ｓ１１７）。そして、中継制御部２２は、Message Type３１に「１」を設定し、Event Type３２に「０」を設定し、自装置の装置ＩＤを削除した順番情報３７を含む設定情報３０を、管理ネットワーク１２を介してオペレーション装置１１へ送ることにより正常終了をオペレーション装置１１に通知し（Ｓ１１８）、ステップＳ１１９に示した処理を実行する。
【００８６】
ステップＳ１１２において、順番情報に複数の装置ＩＤが含まれていない場合（Ｓ１１２：Ｎｏ）、出力制御部２１は、当該順番情報に含まれている装置ＩＤが自装置の装置ＩＤであるか否かを判定する（Ｓ１２１）。順番情報に含まれている装置ＩＤが自装置の装置ＩＤではない場合（Ｓ１２１：Ｎｏ）、出力制御部２１は、ステップＳ１０９（図１２参照）に示した処理を実行する。
【００８７】
一方、順番情報に含まれている装置ＩＤが自装置の装置ＩＤである場合（Ｓ１２１：Ｙｅｓ）、出力制御部２１は、受信した設定情報に含まれているWavelength ID３４に対応する波長の光信号について前述のドロップ設定を行う（Ｓ１２２）。そして、出力制御部２１は、ドロップ設定が正常に終了したか否かを判定する（Ｓ１２３）。アンプ２５０や変換部２６等の不具合により、ドロップ設定が正常に終了しなかった場合（Ｓ１２３：Ｎｏ）、出力制御部２１は、ステップＳ１１０（図１２参照）に示した処理を実行する。
【００８８】
一方、ドロップ設定が正常に終了した場合（Ｓ１２３：Ｙｅｓ）、出力制御部２１は、Message Type３１に「１」を設定し、Event Type３２に「０」を設定した設定情報３０を、管理ネットワーク１２を介してオペレーション装置１１へ送ることにより正常終了をオペレーション装置１１に通知し（Ｓ１２４）、加算制御部２３は、再びステップＳ１００に示した処理を実行する。
【００８９】
以上、本発明の実施の形態について説明した。
【００９０】
上記説明から明らかなように、本実施形態の光通信システム１０によれば、光信号の経路設定の際のＲＯＡＤＭ２０の劣化や破損を防止することができる。
【００９１】
なお、本発明は、上記した各実施形態に限定されるものではなく、様々な変形例が含まれる。例えば、上記した実施形態では、リング型のトポロジを構成するＲＯＡＤＭ２０について説明したが、本発明はこれに限られず、スター型やメッシュ型のトポロジを構成するＲＯＡＤＭ２０についても本発明を適用することができる。
【００９２】
また、本実施形態では、設定情報内の順番情報に、順番を示す数値と、その順番に対応するＲＯＡＤＭ２０の装置ＩＤとの組み合わせが含まれる例を説明したが、本発明はこれに限られず、順番情報内に複数の装置ＩＤを含め、信号経路における上流のＲＯＡＤＭ２０の装置ＩＤを、順番情報を構成するビットパターンのＭＳＢ側に配置することにより、装置ＩＤが格納されている順番情報内の位置で、その装置ＩＤが最上流のＲＯＡＤＭ２０の装置ＩＤか否かを表現するようにしてもよい。
【００９３】
また、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【００９４】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００９５】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９６】
１０・・・光通信システム、１１・・・オペレーション装置、１２・・・管理ネットワーク、１３・・・光ファイバ、１４・・・ユーザ網、１５・・・ユーザ端末、２０・・・ＲＯＡＤＭ、２１・・・出力制御部、２２・・・中継制御部、２３・・・加算制御部、２４・・・設定情報保持部、２５・・・スイッチ部、２５０・・・アンプ、２５１・・・多重分離器、２５２・・・ＯＳＣ監視部、２５３・・・スイッチ、２５４・・・スイッチ、２５５・・・アンプ、２５６・・・ＯＳＣ挿入部、２５７・・・多重化器、２５８・・・アンプ、２６・・・変換部、３０・・・設定情報、３１・・・Message Type、３２・・・Event Type、３３・・・Fail Reason、３４・・・Wavelength ID、３５・・・Order、３６・・・Equipment ID、３７・・・順番情報
【図１】
2012147124.tif 000003
【図２】
2012147124.tif 000004
【図３】
2012147124.tif 000005
【図４】
2012147124.tif 000006
【図５】
2012147124.tif 000007
【図６】
2012147124.tif 000008
【図７】
2012147124.tif 000009
【図８】
2012147124.tif 000010
【図９】
2012147124.tif 000011
【図１０】
2012147124.tif 000012
【図１１】
2012147124.tif 000013
【図１２】
2012147124.tif 000014
【図１３】
2012147124.tif 000015